(57)【要約】  【課題】カラオケ利用者が携帯用アルコール濃度測定器をいつも携帯する必要なく、利用者の呼気中のアルコール濃度を、利用者に負荷を与えることなく効率的に検知して測定でき、その測定データを好適に利用者に知らしめ、利用者が自分に合った飲量に調整できるようにする手段およびその手段を用いたカラオケシステムの提供。  【解決手段】アルコール濃度測定手段をカラオケマイクに付帯させると共に、利用者がこのカラオケマイクを利用した歌唱中に、その測定したアルコール濃度の測定データを所定のタイミングにて、カラオケ演奏装置が付帯した表示装置に表示させるようにした。【選択図】図２
2005242062.tif 000002
【特許請求の範囲】
【請求項１】
利用者の歌唱音声をカラオケ演奏装置に転送するためのカラオケマイクにおいて、
（ア）人体から発生する呼気に含まれるアルコール成分を検知するための半導体ガスセンサと、当該半導体ガスセンサの検知によるアルコール濃度の測定を制御するための測定制御手段などからなるアルコール濃度測定手段と、
（イ）当該アルコール濃度の測定データを所定のカラオケ演奏装置に転送するための制御を行う測定データ転送制御手段と、
を有することを特徴とするカラオケマイク。
【請求項２】
請求項１記載のカラオケマイクを利用したカラオケシステムであって、前記カラオケマイクから転送されてきたアルコール濃度の測定データを、前記利用者が歌唱するカラオケ楽曲の演奏中ないし演奏後に、前記所定のカラオケ演奏装置が付帯した表示装置に表示することを特徴とするカラオケシステム。
【請求項３】
前記測定データの表示が、そのアルコール濃度の高低に対応して変化する、メッセージ表示、画像表示ないしアニメーション表示であることを特徴とする請求項２記載のカラオケシステム。
【発明の詳細な説明】
【技術分野】
【０００１】
本発明は、利用者の歌唱音声をカラオケ演奏装置に転送するためのカラオケマイクに関し、さらに詳しくは、アルコール濃度測定機能付きカラオケマイクと、さらに、これを用いたカラオケシステムに関する。
【背景技術】
【０００２】
一般的に、カラオケ利用者は、しらふで歌唱する人も大勢いるが、飲酒しながら歌唱したり、カラオケを二次会で行く場合は飲酒後に歌唱する人がかなり多い。アルコール飲料を過度に飲むと、自らの健康に悪いのは勿論、飲んでいない人に対しては口臭を気にさせたり、さらには、他人に絡んで迷惑をかけたりすることにもなる。また、当然のことながら、車の運転も禁じられる。しかし、飲酒しているカラオケ利用者はカラオケに夢中になっているため、自らの飲酒量がよく分からず、飲量を調整することはできない。飲酒量が分かれば、過度な飲み過ぎを防ぐために飲酒を制限したり、逆に「飲みが足りない」ということも判断でき、自分に合った飲量に調整することができる。
【０００３】
ところで、現在、携帯用のアルコール濃度測定器が販売されている。そのサイズは携帯電話より小さくて消費電力も少なく、また、操作も簡単で、軽く息を吹きかけるだけで測定ができ、測定速度も１０秒以内のものが販売されている。このような高性能でダウンサイジングが可能となった技術背景には、改良が進んだ半導体ガスセンサの利用によるところが大きい。半導体ガスセンサを用いた人体発生ガス濃度測定器に関わる出願もあり、例えば、特許文献１では、人体から発生する呼気に含まれる口臭の有無並びに呼気中に含まれている悪臭物質の濃度を、半導体ガスセンサを用いて測定できる臭気測定器に関する技術が開示されている。また、特許文献２では、この半導体ガスセンサを利用し、酒帯度を測定するために、呼気中のアルコール濃度検知センサを内蔵したアルコール濃度測定器に関する技術が開示されている。
【特許文献１】特開昭６４−３５３６８号公報
【特許文献２】実公平０７−３３１６２号公報
【発明の開示】
【発明が解決しようとする課題】
【０００４】
しかしながら、このように高性能で小型化されたアルコール濃度測定器であっても、普段は必要とせず、飲酒する場合に必要となるのであるが、飲酒は必ずしも予定されているとは限らないため、飲酒時にあればよいのにも拘わらず、いつも携帯しなければならないという不都合がある。そして、上述した如く、カラオケ利用者は飲酒している場合がかなり多く、自らの飲酒量がよく分かるのが好ましいのであるが、カラオケに行く度にわざわざ携帯用アルコール濃度測定器を携帯するのは不便であり、また、カラオケに行く場合も必ずしも予定されているとは限らないため、結局、カラオケ利用者もいつもアルコール濃度測定器を携帯しなければならないという不都合がある。
【０００５】
そこで、本発明は、上記不都合を解消するために想到されたもので、すなわち、カラオケ利用者が携帯用アルコール濃度測定器をいつも携帯する必要なく、利用者の飲酒量（呼気中のアルコール濃度）を、利用者に負荷を与えることなく効率的に検知して測定でき、その測定データを好適に利用者に知らしめ、利用者が自分に合った飲量に調整できるようにする手段およびその手段を用いたカラオケシステムの提供を課題とする。
【課題を解決するための手段】
【０００６】
上記課題を鑑み、本発明者らは、アルコール濃度測定手段をカラオケマイクに付帯させると共に、利用者がこのカラオケマイクを利用した歌唱中に、その測定したアルコール濃度の測定データを所定のタイミングにて、カラオケ演奏装置が付帯した表示装置に表示させるようにしたカラオケシステムにより、上記課題を解決できることを見出し、本発明のアルコール濃度測定機能付きカラオケマイクおよびこれを用いたカラオケシステムを想到した。
【０００７】
すなわち、本発明の請求項１記載のカラオケマイクは、利用者の歌唱音声をカラオケ演奏装置に転送するためのカラオケマイクにおいて、
（ア）人体から発生する呼気に含まれるアルコール成分を検知するための半導体ガスセンサと、当該半導体ガスセンサの検知によるアルコール濃度の測定を制御するための測定制御手段などからなるアルコール濃度測定手段と、
（イ）当該アルコール濃度の測定データを所定のカラオケ演奏装置に転送するための制御を行う測定データ転送制御手段と、
を有することを特徴とする。
【０００８】
また、本発明の請求項２記載のカラオケシステムは、請求項１記載のカラオケマイクを利用したカラオケシステムであって、前記カラオケマイクから転送されてきたアルコール濃度の測定データを、前記利用者が歌唱するカラオケ楽曲の演奏中ないし演奏後に、前記所定のカラオケ演奏装置が付帯した表示装置に表示することを特徴とする。
【０００９】
さらに、本発明の請求項３記載のカラオケシステムは、請求項２記載のカラオケシステムにおいて、前記測定データの表示が、そのアルコール濃度の高低に対応して変化する、メッセージ表示、画像表示ないしアニメーション表示であることを特徴とする。
【発明の効果】
【００１０】
本発明の請求項１記載のカラオケマイクによれば、カラオケマイクにアルコール検知機能を付帯させたため、カラオケ利用者は携帯用アルコール濃度測定器をいつも携帯する必要なく、利用者が歌唱している最中に、利用者に対し何らの負荷も与えることなく、効率的に飲酒量（呼気中のアルコール濃度）を検知して測定できるといった効果を奏する。
【００１１】
また、本発明の請求項２記載のカラオケシステムによれば、請求項１記載のカラオケマイクを用いて測定した歌唱中の利用者の飲酒量を、利用者が歌唱するカラオケ楽曲の演奏中ないし演奏後に、カラオケ演奏装置が付帯する表示装置を利用して表示するため、その測定データを好適にその利用者に知らしめることができ、利用者はこの測定データを参考にすることで、自分に合った飲量に調整できるなどの効果を奏する。
【００１２】
さらに、本発明の請求項３記載のカラオケシステムによれば、カラオケ演奏装置が付帯する表示装置への測定データの表示を、そのアルコール濃度の高低に対応して変化する、メッセージ表示、画像表示ないしアニメーション表示とすることで、アルコール濃度の数値的表現よりもカラオケの雰囲気に合ったものにすることができ、また、利用者の注意を喚起することもできるなどの効果を奏する。
【発明を実施するための最良の形態】
【００１３】
以下、本発明のアルコール濃度測定機能付きカラオケマイクおよびこれを用いたカラオケシステムについて、最適な実施例を挙げ、本発明を詳述する。
【実施例１】
【００１４】
図１は、本発明の一実施例であるアルコール濃度測定機能付きカラオケマイクの外観図および拡大・内部透し図である。先ず、（イ）の全体図に示すように、本実施例のカラオケマイク（１）は、マイク本体（グリップ部：２）、採音部キャップ（３）、グリップ部端部に内蔵されている赤外線通信手段（４）などを主な構成要素としている。アルコール濃度測定システムのダウンサイジング技術の進歩により、外観的には従来のものと殆ど変わらないように構成できる。
【００１５】
次に、（ロ）の拡大・内部透し図に示すように、採音部キャップ（３）内には、音圧受振部（５）の他に、利用者が歌唱中に発生する呼気に含まれるアルコール成分を検知するための複数の半導体ガスセンサ（６ａ，６ａ…）が備えられている。これら半導体ガスセンサ（６ａ，６ａ…）は、当該マイクがどの方向に向けられても利用者の呼気を採取できるように、音圧受振部（５）を中心とした同心円上に均等な位相差で放射状に複数配置されている。この半導体ガスセンサには感ガス体内に加熱を行う過熱器（図示省略）が埋設されており、測定開始時には、測定準備として半導体ガスセンサを昇温させるように過熱器の通電を制御してヒートクリーニング処理を行い測定可能な状態とする。利用者が歌唱中に発せられる呼気は、各半導体ガスセンサ（６ａ，６ａ…）に設けられた吹込口（６ａａ，６ａａ…）から採取される。半導体ガスセンサ（６ａ，６ａ…）は高温状態下で吹き込まれた呼気により抵抗値が変化し、呼気の吹き込みを検知する。呼気を検知すると、測定制御手段（図示省略）は、今度は半導体ガスセンサを降温させるように過熱器の通電を制御し、その時点での抵抗値を検知する。そして、先の高温状態下の抵抗値と当該抵抗値の比較と、予め設定した数値に基づき、所定のアルゴリズムにて演算することで、利用者の呼気に含まれるアルコール濃度が測定される。なお、各半導体ガスセンサ（６ａ，６ａ…）間では、歌唱中のマイクの方向で測定値が異なるため、最も高いアルコール濃度の測定データが採用される。
【００１６】
ここで、本発明のアルコール濃度測定機能付きカラオケマイクについて、そのブロック構成図に基づき、さらに詳述する。
【００１７】
図２に示すように、本実施例のアルコール濃度測定機能付きカラオケマイク（１）はワイヤレス型であって、従来のダイナミックマイクの構成要件である歌唱者の歌声の音圧を受けて振動する音圧受振部（５）、その振動を電気信号に変換して所定の変調処理を行う圧電変換・変調手段（８）、この変調信号を赤外線信号として、ＬＥＤ発光素子やジャイロミラー機構により通信を行うための赤外線通信手段（４）、さらに、上述した如くの、半導体ガスセンサ（６ａ）や測定制御手段（６ｂ）などからなるアルコール濃度測定手段（６）、当該アルコール濃度の測定データを所定のカラオケ演奏装置に転送するための制御を行う測定データ転送制御手段（７）および、これら機能手段の統括制御や所定のカラオケ演奏装置へ歌唱音声を転送するための転送制御をするなど、制御全般を司る中央制御手段（９）などから構成されている。
【００１８】
なお、本実施例では、赤外線信号はデジタル信号として、利用者の歌唱する音声信号とアルコール濃度の測定データ信号とをＩＤ管理し、同一の通信周波数をもって一緒に所定のカラオケ演奏装置に転送できるように構成しているが、勿論、赤外線信号をアナログ信号として、通信周波数を複数備えたマルチチャンネル方式を採用し、音声信号と測定データ信号をチャンネル毎に分けて転送してもよい。また、本実施例では赤外線通信方式を採用しているが、本発明はこれに限らず、例えば、ブルートゥース（bluetooth）無線通信方式やＦＭ波無線通信方式などであっても構わず、さらに、本実施例に示すようなワイヤレス型マイクに限らず、有線通信手段を有するワイヤード型マイクであっても構わない。
【００１９】
以下、図３に示す、本発明の一実施例であるカラオケシステムのブロック構成図に基づき、本発明のアルコール濃度測定機能付きカラオケマイクを用いたカラオケシステムについて詳述する。
【実施例２】
【００２０】
本実施例のカラオケシステム（Ｓ１）は、カラオケ演奏装置を主たる構成要件とし、ハードディスク装置、ＤＶＤ−ＲＯＭドライブ装置、ＣＤ−ＲＯＭドライブ装置などから構成されるデータ記憶部（２１）を備え、このデータ記憶部（２１）には楽曲別のカラオケ演奏データが多数蓄積されている。なお、このカラオケ演奏データは、例えば、ＭＩＤＩデータなどの伴奏音楽の生成データと、カラオケ歌詞画像の生成起源となる歌詞描出データと、カラオケ伴奏音楽に合わせて歌唱されたバックコーラスの録音データなどから構成されている。
【００２１】
利用者はリモコン装置（１１）や操作パネル（１３）を用いて自分が歌いたい曲をリクエストすると、リモコン装置（１１）や操作パネル（１３）から入力されたリクエスト曲のＩＤコードは、リモコン装置（１１）からリモコン受信部（１２）を経由して、あるいは操作パネル（１３）から直接操作入力インタフェイス（１４）に入力されて、中央制御部（１０）に伝達される。この中央制御部（１０）はＣＰＵやＲＡＭ、ＲＯＭなどから構成されたシステムで、操作入力インタフェイス（１４）を始め、データ記憶部（２１）、シンセサイザ（１７）、ビデオ制御部（１９）の他、カラオケマイク（１）が付帯したアルコール濃度測定手段（６）から転送された測定データ信号を取得するための測定データインタフェイス（２２）などに接続されている。操作入力インタフェイス（１４）から入力された楽曲ＩＤコードや測定データインタフェイス（２２）から入力された測定データは中央制御部（１０）に伝達され、この中央制御部（１０）の指令により、データ記憶部（２１）のＲＡＭにおける適宜な記憶領域にそれぞれ記憶される。
【００２２】
中央制御部（１０）はデータ記憶部（２１）に記憶された楽曲ＩＤコードの内、優先順位の高いものから順に選出して、各楽曲ＩＤコードに対応するカラオケ演奏データを、データ記憶部（２１）のハードディスクから順次取得して逐次演奏処理する。この演奏処理で中央制御部（１０）は、カラオケ演奏データ中の伴奏音楽の生成データに基づきシンセサイザ（１７）を駆動してカラオケ伴奏音楽を生成し、これをミキシングアンプ（１５）に出力する。また、中央制御部（１０）は、ＡＤＰＣＭデコーダ（１６）においてバックコーラスの録音データを再生処理して、リアルタイムでミキシングアンプ（１５）に出力する。
【００２３】
ミキシングアンプ（１５）は、シンセサイザ（１７）からの伴奏音楽の信号と、カラオケマイク（１）からの音声信号と、ＡＤＰＣＭデコーダ（２２）からのバックコーラス信号とを混合し、この混合信号を利用者が設定した音量に増幅後、スピーカ（１８）から出力する。また、中央制御部（１０）はカラオケ演奏データに付帯した歌詞描出データに基づき、伴奏音楽に同期する歌詞画像を生成し、ビデオ制御部（１９）にて、この歌詞画像の背景に背景映像を合成した後、ディスプレイ装置（表示装置：２０）に向けて映像出力すると共に、ＲＡＭに記憶されたアルコール濃度の測定データも適宜なタイミングで背景画像にスーパーインポーズされてディスプレイ装置（２０）に出力される。
【００２４】
次に、図４に示す、アルコール濃度の測定データが表示されたディスプレイ装置の表示画面に基づき、本発明の測定データの表示方法について詳述する。
【００２５】
先ず、（Ａ）の演奏中の表示画面が示すように、アルコール濃度の測定データは、測定データが取得された毎に所定のタイミングで、例えば、「アルコール濃度０．２５ｍｇ／Ｌ」などとして表示画面の所定部に表示される。このような測定データの表示は、測定が可能な時間範囲において、演奏中に何回行っても構わず、例えば、１曲中における間奏区間に入ったタイミングで表示したり、１分おきなどの所定の時間間隔で表示したりする。なお、アルコール濃度の測定開始のトリガー信号は、カラオケ楽曲毎にその演奏開始時に合わせて発信させたり、前奏後や間奏後に歌唱テロップが表示されたタイミングで発信させたりするのが、測定の自動化とって好適である。ただし、本発明はこれに限らず、例えば、カラオケマイク本体に測定開始スイッチを設け、利用者が所望するタイミングで手動にてトリガー信号を発信させて測定するようにしても構わない。
【００２６】
次に、（Ｂ）の演奏後の表示画面が示すように、演奏中にアルコール濃度の測定を複数回行った後、それらの平均値を最終的に、例えば、「アルコール濃度０．３０ｍｇ／Ｌ」などとして表示画面の所定部に表示してもよい。測定は何回も行った方が精度が向上するため、測定データの平均値を最終的に出すのが好ましい。勿論、本発明はこれに限らず、演奏中と演奏後の両方に測定データを表示する必要はなく、どちらか一方、例えば、演奏中のみ測定データを表示させたり、あるいは、演奏中は測定データを表示させず、演奏後のみ測定データの平均値あるいは一度の測定結果を表示するようにしても構わない。
【００２７】
さらにここで、図５に示す、アルコール濃度測定データの表示例説明図に基づき、本発明における測定データの表示方式について詳述する。
【００２８】
上記実施例では、アルコール濃度の測定データの表示方法を、（ａ）に示すように、「アルコール濃度０．００ｍｇ／Ｌ」、「アルコール濃度０．０５ｍｇ／Ｌ」「アルコール濃度０．１０ｍｇ／Ｌ」などと数値表記していたが、本発明はこれに限らず、アルコール濃度の高低に対応して変化する、メッセージ表示、画像表示ないしアニメーション表示でも構わない。また、この方が、アルコール濃度の数値的表現よりもカラオケの雰囲気に合ったものにすることができ、また、利用者の注意を喚起することもできる。
【００２９】
例えば、（ｂ）に示すように、アルコール濃度の高低に対応してビールグラスの本数を増減させたり、（ｃ）に示すように、人物の顔色を変化（肌色→ピンク色→赤色など）させると共に人物の表情を変化させてもよい。また、この時、人物の表情をアニメーション表示させると効果的であり、利用者の注意を喚起できる。また、（ｄ）に示すように、棒状インジケータの色変わり部の伸縮度合いによってアルコール濃度の高低を表現してもよい。また、このインジケータには、「まだまだ」とか「ほろ酔い」とか「ちょっと飲み過ぎ」とか「飲み過ぎ」とかのメッセージ表記をその伸縮の割合に応じて付帯させる方が、利用者の飲酒の程度が分かり易くなり好ましい。
【００３０】
以上、詳述したように、本発明のアルコール濃度測定機能付きカラオケマイクおよびこれを用いたカラオケシステムによれば、アルコール濃度測定手段をカラオケマイクに付帯させると共に、利用者がこのカラオケマイクを利用した歌唱中に、その測定したアルコール濃度の測定データを所定のタイミングにて、カラオケ演奏装置が付帯した表示装置に表示させるようにしたことにより、カラオケ利用者が携帯用アルコール濃度測定器をいつも携帯する必要なく、利用者の飲酒量（呼気中のアルコール濃度）を、利用者に負荷を与えることなく効率的に検知して測定でき、その測定データを好適に利用者に知らしめ、利用者が自分に合った飲量に調整できる。
【図面の簡単な説明】
【００３１】
【図１】本発明の一実施例であるカラオケマイクの外観図および拡大・内部透し図。
【図２】本発明のアルコール濃度測定機能付きカラオケマイクのブロック構成図。
【図３】本発明の一実施例であるカラオケシステムのブロック構成図。
【図４】アルコール濃度の測定データが表示されたディスプレイ装置の表示画面。
【図５】アルコール濃度測定データの表示例説明図。
【符号の説明】
【００３２】
１  アルコール濃度測定機能付きカラオケマイク
２  マイク本体
３  採音部キャップ
４  赤外線通信手段
５  音圧受振部
６  アルコール濃度測定手段
７  測定データ転送制御手段
８  圧電変換・変調手段
９  中央制御手段
Ｓ１  カラオケシステム
１０  中央制御部
１９  ビデオ制御部
２０  ディスプレイ装置
２１  データ記憶部
２２  測定データインタフェイス
【図１】
2005242062.tif 000003
【図２】
2005242062.tif 000004
【図４】
2005242062.tif 000005
【図５】
2005242062.tif 000006
【図３】
2005242062.tif 000007